(57)【要約】【課題】  単種類もしくは比較的少ない種類の縦横拡大比のアナモフィックレンズを用いて、多種類のアスペクト比の投射映像を作り出すことができるプロジェクタ。【解決手段】  プロジェクタ１は、タグ６を持ち投射像の縦横比を変換するアナモフィックレンズ５と、タグの情報を読み取るタグリーダ７と、入力映像信号のもつアスペクト比を検出するアスペクト比検出部８と、ライトバルブ画素表示領域変換部９と、ライトバルブ駆動部１０とから構成される。ライトバルブ画素表示領域変換部１０は、アスペクト比検出部の検出結果とタグリーダ７がタグ６を読み取ったアナモフィックレンズ５の縦横拡大の倍率とからライトバルブ２の画素表示領域を決定する。【選択図】      図１
2005072887.tif 000002
【特許請求の範囲】
【請求項１】
ライトバルブへの表示を拡大投射するプロジェクション方法であって、
投射レンズに装着されるアナモフィックレンズの装着の有無と装着されたアナモフィックレンズの縦横拡大比を自動認識し、
入力映像信号のもつアスペクト比を検知し、
前記ライトバルブへの表示画素領域を制御し、
前記アスペクト比と同一のアスペクト比の像を拡大投射する、
ことを特徴とするプロジェクション方法。
【請求項２】
前記ライトバルブの全表示画素領域のアスペクト比が、横寸法対縦寸法の比でａ：ｂ（ａ＞ｂ）であり、
前記入力映像信号のもつアスペクト比がａ：ｂより横長の画面のときは、
前記アナモフィックレンズを装着して投射し、
前記入力映像信号のもつアスペクト比がａ：ｂのときは、
前記アナモフィックレンズを装着しないで投射する、
ことを特徴とする請求項１に記載のプロジェクション方法。
【請求項３】
前記装着されるアナモフィックレンズの縦横拡大比は１種類である、
ことを特徴とする請求項２に記載のプロジェクション方法。
【請求項４】
投射レンズにアナモフィックレンズを装着してライトバルブの表示を拡大投射するプロジェクション装置であって、
入力映像信号のアスペクト比を検出する手段と、
前記アナモフィックレンズの装着の有無と装着されたアナモフィックレンズの縦横拡大比を自動認識する手段と、
前記アスペクト比と前記縦横拡大比とから、前記ライトバルブの水平表示画素数と垂直画素数とを定める手段、
を備えることを特徴とするプロジェクション装置。
【請求項５】
前記ライトバルブの全表示画素領域のアスペクト比が、横寸法対縦寸法の比でａ：ｂ（ａ＞ｂ）であり、
前記入力映像信号のもつアスペクト比がａ：ｂより横長の画面のときは、
前記アナモフィックレンズを装着して投射し、
前記入力映像信号のもつアスペクト比がａ：ｂのときは、
前記アナモフィックレンズを装着しないで投射する、
ことを特徴とする請求項４に記載のプロジェクション装置。
【請求項６】
前記装着されるアナモフィックレンズの縦横拡大比は１種類である、
ことを特徴とする請求項５に記載のプロジェクション装置。
【請求項７】
前記アナモフィックレンズの装着の有無と装着された前記アナモフィックレンズの縦横拡大比を自動認識する手段が、
前記アナモフィックレンズが備え、前記縦横拡大比の情報を記録するタグと、前記タグに記憶された情報を読み取るタグリーダである、
ことを特徴とする請求項４乃至６の何れかに記載のプロジェクション装置。
【請求項８】
前記タグは、
ＩＣタグである、
ことを特徴とする請求項７に記載のプロジェクション装置。
【請求項９】
前記タグは、
バーコードである、
ことを特徴とする請求項７に記載のプロジェクション装置。
【発明の詳細な説明】
【技術分野】
【０００１】
本発明は、ライトバルブの表示像を拡大投射するプロジェクタに関し、とくにアナモフィックレンズを用いたプロジェクション方法並びにプロジェクション装置に関する。
【背景技術】
【０００２】
ライトバルブに表示された画像を拡大投射するプロジェクタでは、複数のアスペクト比の異なる複数種類の投射像が形成できるように縦横拡大比が異なるアナモフィックレンズが用いられるようになって来ている。拡大投射光学系に用いる場合、通常の軸対称の投射レンズに付加して用いる場合と、組み合わせレンズ群の中にアナモフィックな素子を一緒に組み込んで一体に構成した投射レンズを用いる場合がある。
【０００３】
従来のプロジェクタでは、アナモフィックレンズを使用する場合、オンスクリーン上で「アナモフィックレンズ装着」を選び、映像をライトバルブ全面に表示し、ライトバルブの表示領域全面のもつアスペクト比をアナモフィックレンズによって変換・投射して、所望のアスペクト比をもつ投射画像を得るという方法で行っている（例えば、特許文献１参照）。
従来のこの発明は、画像の上下に黒い無画部が現れるレターボックス形式の入力映像信号の場合でもライトバルブの全画素を表示に利用し、これをアナモフィックレンズによって縦横拡大比を変えて投射しており、ライトバルブを照明する光の利用効率を上げることを目的としている。
どのようなアスペクト比の映像信号でも、信号変換手段によってその解像度をライトバルブの縦横の画素数に規格化し、所望のアスペクト比を持った投射映像への変換は、アナモフィックレンズの縦横拡大比を選ぶことのみによって行っている。
アスペクト比は、映像の種類によって多岐である。通常のＴＶ放送やコンピュータ出力画面は４：３（横：縦）、高品位画像は１６：９、ビスタビジョンは５．５５：３、シネマスコープは７：３などである。このため、上記の従来のプロジェクタの発明では、これらの全ての映像信号に対応するためには、数多くの異なる縦横拡大比をもったアナモルフィックレンズを準備する必要がある。必然的に装置価格が増大する。
【０００４】
【特許文献１】特開平５−２２６８１号公報（第２−４頁、図１）
【発明の開示】
【発明が解決しようとする課題】
【０００５】
本発明は上記のようなアナモフィックレンズを用いたプロジェクタの有する問題点に鑑みて創案されたものであって、その目的とするところは、単種類もしくは比較的少ない種類の縦横拡大比のアナモフィックレンズを用いて、多種類のアスペクト比の投射映像を作り出すことができるプロジェクション方法並びにプロジェクション装置を提供することにある。
【課題を解決するための手段】
【０００６】
上記の課題を解決するために、本発明のプロジェクション方法は、ライトバルブへの表示を拡大投射するプロジェクション方法であって、投射レンズに装着されるアナモフィックレンズの装着の有無と装着されたアナモフィックレンズの縦横拡大比を自動認識し、入力映像信号のもつアスペクト比を検知し、ライトバルブへの表示画素領域を制御し、アスペクト比と同一のアスペクト比の像を拡大投射することを特徴とする。
ライトバルブの全表示画素領域のアスペクト比が、横寸法対縦寸法の比でａ：ｂ（ａ＞ｂ）であり、入力映像信号のもつアスペクト比がａ：ｂより横長の画面のときは、アナモフィックレンズを装着して投射し、入力映像信号のもつアスペクト比がａ：ｂのときは、アナモフィックレンズを装着しないで投射する。
装着されるアナモフィックレンズの縦横拡大比は１種類である。
【０００７】
また、本発明のプロジェクション装置は、投射レンズにアナモフィックレンズを装着してライトバルブの表示を拡大投射するプロジェクション装置であって、入力映像信号のアスペクト比を検出する手段と、アナモフィックレンズの装着の有無と装着されたアナモフィックレンズの縦横拡大比を自動認識する手段と、アスペクト比と縦横拡大比とから、ライトバルブの水平表示画素数と垂直画素数とを定める手段を備えることを特徴とする。
ライトバルブの全表示画素領域のアスペクト比が、横寸法対縦寸法の比でａ：ｂ（ａ＞ｂ）であり、入力映像信号のもつアスペクト比がａ：ｂより横長の画面のときは、
アナモフィックレンズを装着して投射し、入力映像信号のもつアスペクト比がａ：ｂのときは、アナモフィックレンズを装着しないで投射する。
装着されるアナモフィックレンズの縦横拡大比は１種類である。
アナモフィックレンズの装着の有無と装着されたアナモフィックレンズの縦横拡大比を自動認識する手段がアナモフィックレンズが備え、縦横拡大比の情報を記録するタグと、タグに記憶された情報を読み取るタグリーダである。
タグは、ＩＣタグである。
タグは、バーコードである。
【発明の効果】
【０００８】
上記の手段によって、装着したアナモフィックレンズの縦横拡大比を自動検知し、その拡大比に応じて、ライトバルブの表示画素領域を決めて、複数のアスペクト比をもった入力映像信号をそのアスペクト比に応じて正しく投射するプロジェクタション方法並びにプロジェクション装置が提供される。
【発明を実施するための最良の形態】
【０００９】
本発明は、装着したアナモフィックレンズの縦横拡大比を自動検知し、その拡大比に応じて、ライトバルブの表示画素領域を決めて、複数のアスペクト比をもった入力映像信号をそのアスペクト比に応じて正しく投射するプロジェクタである。
本発明の実施例について、図面を参照して説明する。
【実施例】
【００１０】
図１に本発明の一実施例のプロジェクタの構成を示す。
プロジェクタ１は、ライトバルブ２と、ライトバルブを照明するランプ３と、ライトバルブ透過像をスクリーン２０へ投射する投射レンズ４と、タグ６を持ち投射像の縦横比を変換するアナモフィックレンズ５と、タグの情報を読み取るタグリーダ７と、入力映像信号のもつアスペクト比を検出するアスペクト比検出部８と、ライトバルブ画素表示領域変換部９と、ライトバルブ駆動部１０とから構成される。
ライトバルブ画素表示領域変換部９は、アスペクト比検出部の検出結果とタグリーダ７がタグ６を読み取ったアナモフィックレンズ５の縦横拡大の倍率とからライトバルブの画素表示領域を決定する。
タグはＩＣタグ（ＲＦタグ）でもバーコードでもでもよい。
【００１１】
プロジェクタ１の動作のフローを図２に示す。ここではライトバルブの各画素は１：１のもので構成されているものとする。
アスペクト比検出部８は、入力する映像信号からアスペクト比を検出し、ライトバルブ画素表示領域変換部９に通知する（Ｓ１０）。
ライトバルブ画素表示領域変換部９は、タグリーダ７からアナモフィックレンズ５が装着されているか否かを検出する（Ｓ１１）。
装着されていなければ、入力映像信号の持つアスペクト比のままでライトバルブの画素表示領域を決定する（Ｓ１２）。
アナモフィックレンズ５が装着されていれば、アナモフィックレンズの縦横拡大比をタグリーダ７から読み出す（Ｓ１３）。
ライトバルブ画素表示領域変換部９は、スクリーン２０への投射像のアスペクト比が、入力映像信号のもつアスペクト比と等しくなるように、ライトバルブの表示領域を決定する（Ｓ１４）。
【００１２】
ライトバルブ画素表示領域変換部９のライトバルブ表示領域の決定は、以下のように行われる。
例えば、入力映像信号のアスペクト比が１６：９であって、ライトバルブの全画素数が、１０２４×７６８であった場合の表示方法を示す。
アナモフィックレンズが装着されていない場合は、ライトバルブ画素表示領域変換部９は、ライトバルブへ１０２４×５７６（１６：９）の画素領域を書き込む信号を入力映像信号から生成してライトバルブ駆動部１０に送出する。
投射映像を４：３から１６：９へ変換するアナモフィックレンズが装着されていれば、１０２４×７６８（４：３）の範囲で表示するように変更する。
【００１３】
また、入力映像信号のアスペクト比が７：３のシネマスコープであって、投射映像を４：３から１６：９へ変換するアナモフィックレンズが装着されていれば、１０２４×５８５の範囲を表示するように変更する。
アナモフィックレンズが装着されていなければ、１０２４×４３８の範囲を表示する。
また、入力映像信号のアスペクト比が５．５５：３のビスタビジョンであって、投射映像を４：３から１６：９へ変換するアナモフィックレンズが装着されていれば、１０２４×７３８の範囲を表示するように変更する。
アナモフィックレンズが装着されていなければ、１０２４×５７６の範囲を表示する。
【００１４】
このような動作によって、拡大比率が単一のアナモフィックレンズを用いるだけで、アスペクト比の異なる複数の入力画像信号をその持っているアスペクト比どおりに、投射することが可能となる。
勿論、複数の拡大比率が異なるアナモフィックレンズを差し替えて使用しても、拡大比率を自動認識するため、本発明が目的とする動作に支障を来すことはない。
【図面の簡単な説明】
【００１５】
【図１】本発明のプロジェクタの構成を示す図である。
【図２】本発明のプロジェクタの動作フローを示す図である。
【符号の説明】
【００１６】
１    プロジェクタ
２    ライトバルブ
３    ランプ
４    投射レンズ
５    アナモフィックレンズ
６    タグ
７    タグリーダ
８    アスペクト比検出部
９    ライトバルブ画素表示領域変換部
１０    ライトバルブ駆動部
２０    スクリーン
【図１】
2005072887.tif 000003
【図２】
2005072887.tif 000004